Podtech/llm-jp-corpus-v4-ja_patent huggingface dataset:
【手続補正書】
【提出日】平成17年2月9日(2005.2.9)
【手続補正１】
【補正対象書類名】特許請求の範囲
【補正対象項目名】全文
【補正方法】変更
【補正の内容】
【特許請求の範囲】
【請求項１】
サンプル表面の光沢を光学的に測定するための光沢センサであって、
光源と、
前記光源から光を受け、第１コリメータの第１端部から放射される平行光ビームを形成するように構成された第１コリメータと、
基準信号を発生させるための、前記第１コリメータ内の第１検出器と、
前記コリメータの前記第１端部に隣接して配設され、第１ビームと第２ビームに前記平行ビームを分割するビームスプリッタと、
前記第２ビームを受けるための反射装置と、
第１窓に隣接して配置され、測定する表面上に前記第１ビームを反射する第１ミラーであって、さらに、前記反射装置から反射された前記第２ビームを受けるように配置された第１ミラーと、
第２窓に隣接して配置され、測定する前記表面から反射された前記第１ビームと、前記第１ミラーによって反射された前記第２ビームとを前記第１窓および前記第２窓を通じて受ける第２ミラーであって、前記第２ビームを前記反射装置に戻すような角度に配置される第２ミラーと、
前記第２ミラーから反射された前記第１ビームを受けるように配置された第２コリメータと、
前記第２コリメータ内に配設され、前記第１ビームを受けるように適合された第２検出器と、
前記反射装置に隣接して配設され、前記第２ビームを受けるように適合された第３検出器とを備える光沢センサ。
【請求項２】
前記照明源が、超高輝度発光ダイオードを含む請求項１に記載の光沢センサ。
【請求項３】
前記照明源が、約５４０ｎｍから５５０ｎｍの間にピーク強度を有する強い放射を生成するように電気的に変調される請求項２に記載の光沢センサ。
【請求項４】
前記強い放射が、約４５０μｍから約６５０μｍの間の可視領域で生成される請求項３に記載の光沢センサ。
【請求項５】
前記照明源がメタルハライドバルブを含む請求項１に記載の光沢センサ。
【請求項６】
前記照明源がキセノンガス封入光源を含む請求項１に記載の光沢センサ。
【請求項７】
前記光源が、第１周波数および第２周波数を生成するように変調され、前記第１周波数が前記第１ビームであり、前記第２周波数が前記第２ビームである請求項２に記載の光沢センサ。
【請求項８】
前記反射手段がプリズム反射器である請求項１に記載の光沢センサ。
【請求項９】
前記プリズム反射器が調節可能である請求項８に記載の光沢センサ。
【請求項１０】
前記反射手段が複数の調節可能ミラーである請求項１に記載の光沢センサ。
【請求項１１】
サンプル表面の光沢を光学的に測定するための光沢センサであって、
光源と、
前記光源から光を受け、第１コリメータの第１端部から放射される平行光ビームを形成するように構成された第１コリメータと、
基準信号を発生させるための、前記第１コリメータ内の第１検出器と、
前記コリメータの前記第１端部に隣接して配設され、第１ビームと第２ビームに前記平行ビームを分割するビームスプリッタと、
前記第２ビームを受けるための反射装置と、
第１窓に隣接して配置され、測定する表面上に前記第１ビームを反射する第１ミラーであって、さらに、前記反射装置から反射された前記第２ビームを受けるように配置された第１ミラーと、
第２窓に隣接して配置され、測定する前記表面から反射された前記第１ビームと、前記第１ミラーによって反射された前記第２ビームとを前記第１窓および前記第２窓を通じて受ける第２ミラーであって、前記第２ビームを前記反射装置に戻すような角度に配置される第２ミラーと、
前記第２ミラーから反射された前記第１ビームを受けるように配置された第２コリメータと、
前記第２コリメータ内に配設され、前記第１ビームを受け、測定信号を生成するように適合された第２検出器と、
前記反射装置に隣接して配設され、前記第２ビームを受け、ダート補償信号を生成するように適合された第３検出器と、
前記基準信号および前記ダート補償信号で前記測定信号を補正することによって光沢読取り値を生成するための信号補正手段とを備える光沢センサ。
【請求項１２】
前記第２コリメータが、前記第１コリメータに隣接して配設される請求項１に記載の光沢センサ。
【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】  ディスプレイ波長範囲用のディスプレイ装置において、
映像ソースと、
ディスプレイの波長範囲に対して透明な光学素子から形成されたリレーグループとを具備し、
前記リレーグループは、
前記映像ソースに面している前面と、後面とを有している光学楔と、
前記光学楔の後面に面している前面と、後面とを有している非球面レンズモジュールと、
前記非球面レンズモジュールの後面に面している前面と、後面と、光軸とを有している非球面レンズと、
前記非球面レンズの後面に面している前面と、後面とを有している回折光学素子レンズモジュールと、
前記回折光学素子レンズモジュールの後面に面している前面と、後面とを有している正の倍率のレンズモジュールとを具備し、
前記非球面レンズモジュールは非球面レンズの光軸に関して傾斜され中心からずらされており、
ディスプレイ装置はさらに、前記リレーグループの前記正の倍率のレンズモジュールに面している反射結合装置を具備しているディスプレイ装置。
【請求項２】  前記非球面レンズモジュールはプラスチックで構成されている請求項１記載のディスプレイ装置。
【請求項３】  前記非球面レンズモジュールは、
低分散材料で形成された正の倍率の単一レンズと、
高分散材料で形成された負の倍率の単一レンズとを具備している請求項１記載のディスプレイ装置。
【請求項４】  前記非球面レンズモジュールは、正の倍率の単一レンズ上に非球面表面を有している請求項１記載のディスプレイ装置。
【請求項５】  前記非球面レンズはプラスチックで構成されている請求項１記載のディスプレイ装置。
【請求項６】  前記回折光学素子レンズモジュールはプラスチックで構成されている請求項１記載のディスプレイ装置。
【請求項７】  前記回折光学素子レンズモジュールは、
レンズ本体と、
前記レンズ本体の前面上に浮彫りにされた回折光学素子とを備えている請求項１記載のディスプレイ装置。
【請求項８】  前記正の倍率のレンズモジュールはガラスで構成されている請求項１記載のディスプレイ装置。
【請求項９】  前記正の倍率のレンズモジュールは、
低分散ガラス材料で形成された正の倍率の単一レンズと、
高分散ガラス材料で形成された負の倍率の単一レンズとを具備している請求項１記載のディスプレイ装置。
【請求項１０】  前記反射結合装置は、ヘルメットのバイザの一部である請求項１記載のディスプレイ装置。
【手続補正書】
【提出日】平成16年3月22日(2004.3.22)
【手続補正１】
【補正対象書類名】特許請求の範囲
【補正対象項目名】全文
【補正方法】変更
【補正の内容】
【特許請求の範囲】
【請求項１】
厚さが少なくとも１００ミクロンのプラスチック素材の透明なベース基板と、透明な樹脂による耐磨耗性表面コーティングとを含む透明な物品の製造方法であって、
コーティングされていない透明なベース基板はASTM D-1044によると３０％を超えるHAZE値を有し、コーティングされている基板は１０％未満のHAZE値を有していて、ジェットプリンターによって樹脂がベース基板に塗られることを特徴とする方法。
【請求項２】
透明なベース基板の厚さが少なくとも２００ミクロンの、請求項１記載の方法。
【請求項３】
透明なベース基板の厚さが少なくとも３００ミクロンの、請求項２記載の方法。
【請求項４】
透明なベース基板の厚さが少なくとも４００ミクロンの、請求項３記載の方法。
【請求項５】
透明なベース基板の厚さが７５０ミクロンから３ミリメートルまでの、請求項４記載の方法。
【請求項６】
ジェットプリンターは、インクジェットプリンター又はバブルジェットプリンターを含む、請求項１乃至５のいずれか１つに記載の方法。
【請求項７】
プリンターがインクジェットプリンターである、請求項６記載の方法。
【請求項８】
選択された範囲の基板が露出している、請求項１乃至７のいずれか１つに記載の方法。
【請求項９】
透明なベース基板が縦方向２０センチメートルまで、横方向１５センチメートルまでの、請求項１乃至８のいずれか１つに記載の方法。
【請求項１０】
コーティング作用が働くよう基板がジェットプリンターに継続的に送り込まれる、請求項１乃至９のいずれか１つに記載の方法。
【請求項１１】
プラスチック素材が、ポリカーボネート、ポリアクリル、ポリエステル、又はアリル炭酸塩である、請求項１乃至１０のいずれか１つに記載の方法。
【請求項１２】
ジェットプリンターによって塗られる樹脂は硬化し得るものであり、プリンターによって塗られた樹脂の硬化を生じさせることを更に含む、請求項１乃至１１のいずれか１つに記載の方法。
【請求項１３】
プリンターによるコーティングの後、基板が乾燥ステーション及び硬化ステーションを通して継続的に送り込まれる、請求項１２記載の方法。
【請求項１４】
樹脂コーティングの厚さが５ミクロンから５０ミクロンまでの、請求項１乃至１３のいずれか１つに記載の方法。
【請求項１５】
請求項１乃至１４のいずれか１つに記載の方法によって製造される透明な物品を組み込む表示装置。
【請求項１６】
請求項１５記載の表示装置を組み込む携帯電話。
【手続補正書】
【提出日】平成15年9月4日(2003.9.4)
【手続補正１】
【補正対象書類名】特許請求の範囲
【補正対象項目名】全文
【補正方法】変更
【補正の内容】
【特許請求の範囲】
【請求項１】
データを表示する際に任意のビュー制御を与えるシステムにおいて、
データを表示するためのディスプレイであって、複数のピクセルを含むディスプレイと、
上記データを処理するために上記ディスプレイに関連された集積回路と、
を備え、上記データは、互いにリンクされた少なくとも第１及び第２のデータ部分を含み、その第１部分はペイロードデータを含み、そしてその第２部分はメタデータを含み、
上記ペイロードデータは、上記ディスプレイにおける複数のピクセルの各ピクセルに独立してコンテンツを与え、そして上記メタデータは、所定の１組の値から選択された値を有していて、上記ディスプレイにおける各ピクセルを独立して識別し、
これにより、上記ディスプレイにおける処理可能なピクセルは、上記所定の１組の値から選択された特定のメタデータ値に基づいて分類されるようにしたシステム。
【請求項２】
上記集積回路は、任意のスレッシュホールド値を越えるメタデータ値をもたない複数のピクセルのコンテンツの表示を妨げることなく、任意のスレッシュホールド値を越えるメタデータ値を有する複数のピクセル各々のコンテンツを阻止し及び覆い隠すことの一方を行うためのフィルタを備えた請求項１に記載のシステム。
【請求項３】
データを表示する際に任意のビュー制御を与える方法において、
複数のピクセルを含むディスプレイを用意する段階と、
データを受信する段階と、
を備え、上記受信されたデータは、互いにリンクされた少なくとも第１及び第２のデータ部分を含み、その第１部分はペイロードデータを含み、そしてその第２部分はメタデータを含み、
上記ペイロードデータは、上記ディスプレイにおける複数のピクセルの各ピクセルに独立してコンテンツを与え、そして上記メタデータは、上記ディスプレイにおける各ピクセルを独立して識別し、該識別は、所定の１組の値から選択されたメタデータ値に基づいて各ピクセルを分類することを含み、
更に、上記受信されたデータを上記ディスプレイに関連して集積回路へ供給する段階と、
各ピクセルの識別に基づいて各ピクセルに対するコンテンツを処理する段階と、
を備えた方法。
【請求項４】
任意のスレッシュホールド値を越えるメタデータ値を有する複数のピクセル各々のコンテンツを阻止し及び覆い隠すことの一方を行い、そして阻止又は覆い隠されなかった残りの複数のピクセルのコンテンツを表示する段階を更に備えた請求項３に記載の方法。
【請求項５】
上記ディスプレイは、ワイヤレスターミナルにおけるディスプレイであり、上記ディスプレイにデータを供給する上記段階は、上記ワイヤレスターミナルにおけるディスプレイに上記データを供給することを含む請求項３に記載の方法。
【請求項６】
広告の視認性を計測するための方法において、
ディスプレイに複数のピクセルを与える段階と、
データを受信する段階と、
を備え、上記受信されたデータは、互いにリンクされた少なくとも第１及び第２のデータ部分を含み、その第１部分はペイロードデータを含み、そしてその第２部分はメタデータを含み、
上記ペイロードデータは、上記ディスプレイの複数のピクセルの各々に独立してコンテンツを与え、そして上記メタデータは、上記ディスプレイの各ピクセルを独立して識別し、該識別は、所定の１組の値から選択された特定のメタデータ値に基づいて各ピクセルを分類することを含み、
更に、上記受信されたデータを上記ディスプレイに関連して集積回路へ供給する段階と、
各ピクセルの識別に基づいて各ピクセルのコンテンツを処理する段階と、
上記メタデータにより広告として分類されたピクセルの数を周期的に計測する段階と、
を備えた方法。
【請求項７】
ゲームのプレーヤに刺激を与える方法において、
複数のピクセルを有するディスプレイを用意する段階と、
上記ディスプレイに関連して集積回路にデータを供給する段階と、
を備え、上記データは、互いにリンクされた少なくとも第１及び第２のデータ部分を含み、その第１部分はペイロードデータを含み、そしてその第２部分はメタデータを含み、
上記ペイロードデータは、上記ディスプレイの複数のピクセルの各々に独立してコンテンツを与え、そして上記メタデータは、上記ディスプレイの各ピクセルを独立して識別し、該識別は、所定の１組の値から選択されたメタデータ値に基づいて各ピクセルを分類することを含み、
更に、各ピクセルの上記識別に基づいて各ピクセルに対するコンテンツを処理する段階と、
非ゲームクラスに属する指定ピクセルのいずれかをプレーヤが作動するのに応答して非ゲーム項目をオープンする段階と、
非ゲーム項目を見たときにプレーヤに報酬を与える段階と、
を備えた方法。
【請求項８】
上記非ゲーム項目は、広告である請求項７に記載の方法。
【請求項９】
報酬を与える上記段階は、上記メタデータにより識別された広告をピクセルが表示する時間長さに基づいて与えられる報酬を増加することを含む請求項８に記載の方法。
【請求項１０】
集積回路で処理されて、ピクセル的に表示されるデータフレームにおいて、
互いにリンクされた少なくとも第１及び第２のデータ部分を含み、その第１部分はペイロードデータを含み、そしてその第２部分はメタデータを含み、
上記ペイロードデータは、ディスプレイの各ピクセルに独立してコンテンツを与え、そして上記メタデータは、上記ディスプレイの各ピクセルを独立して識別し、該識別は、所定の１組の値から選択されたメタデータ値に基づいて各ピクセルを分類することを含むデータフレーム。
【手続補正書】
【提出日】平成16年12月10日(2004.12.10)
【手続補正１】
【補正対象書類名】特許請求の範囲
【補正対象項目名】請求項１
【補正方法】変更
【補正の内容】
【請求項１】
複数のイベントメモリ（４０、４１）を有するマイクロプロセッサ（３０）のための割込み制御器で、前記イベントメモリが結合されて少なくとも１つのグループを作り、前記各イベントメモリが、設定信号（５）のための入力および前記イベントメモリ（４０、４１）の状態を表現するイベントメモリ信号（４）のための出力を備え、
−イベントメモリ（４０、４１）のための前記設定信号（５）は、該イベントメモリ（４０、４１）に関連するイベント信号（８）のアクティブ化が検出されたときにアクティブになり、
−前記イベントメモリ信号（４）は、前記マイクロプロセッサ（３０）のための割込み信号（９）に接続されており、
−前記マイクロプロセッサ（３０）は、データバス（１０）を経由して前記イベントメモリ信号（４）に対する読み出しおよび書き込みアクセスを有し、
−前記イベントメモリ（４０、４１）は各々、リセット信号（３）のための入力を備える
割込み制御器において、
グループ内のイベントメモリ（４０、４１）のための前記リセット信号（３）は、前記マイクロプロセッサ（３０）が、第１の書き込み信号（１５）を使用して、前記イベントメモリ（４０、４１）を含むグループに対する書き込みアクセスを有効にし、同時に、前記イベントメモリ（４０、４１）に関連する、前記マイクロプロセッサ（３０）からの個別信号（１６）が、前記データバス（１０）上でアクティブであるときにアクティブになり、イベントメモリ（４０、４１）のための前記リセット信号（３）は、イベントメモリ（４０、４１）の前記状態が、前記イベントメモリ（４０、４１）の読み出し中または読み出しとリセットの間に新しいイベントにより変更されたとき非アクティブになることを特徴とする割込み制御器。
【手続補正２】
【補正対象書類名】明細書
【補正対象項目名】０００８
【補正方法】変更
【補正の内容】
【０００８】
発生した割込み要求の優先順位が所定の優先順位よりも高い場合だけでなく、発生した割込み要求の優先順位が所定の優先順位と同じ場合にも、発生した割込み要求に肯定応答するための優先順位情報を保持する手段を有する割込み制御器が、EP-A-0443557によって既に開示されている。このネスティング機能が実現されるか否かは、フラグにおいて設定される情報により制御される。
特定の割込みルーチンが、異なるイベントにより、つまりは異なる割込み信号により呼び出された場合、割込みルーチンは、一般的に、１つまたは複数のどのイベントが、割込みルーチンを引き起こしているかを確定することができる。このために、マイクロプロセッサはイベントメモリ信号に対する読み出しアクセスを有する。イベントメモリは、割込みルーチンがイベントメモリの状態の読み出しを完了したときにのみ、リセットされる。これにもまた、プログラムコマンドを使用したリセット手段が必要とされる。
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
流動層反応器内でオキシジェネート転化反応を行う方法であって、
オキシジェネート供給原料、ＳＡＰＯモレキュラーシーブを含んだ触媒、及び少なくとも反応領域及び再循環領域を含む反応装置を供給し、ここで前記反応領域及び再循環領域のそれぞれの少なくとも１点における温度が約２５０℃以上であり、
前記供給原料を主要オレフィンを含んだ生成物に転化するために効果的な条件下で前記反応領域内で前記供給原料と前記触媒を接触させ、前記条件はガス空塔速度（Ｇａｓ  Ｓｕｐｅｒｆｉｃｉａｌ  Ｖｅｌｏｃｉｔｙ：ＧＳＶ）が前記反応領域内の少なくとも１点で約０．１ｍ／ｓ以上であることを含み、
前記反応領域と再循環領域内の触媒の合計質量に対する前記反応領域内の触媒の質量の比が０．０１以上０．９９以下となるように、前記反応領域内の触媒の少なくとも一部を前記再循環領域に流入させ再循環すること含むことを特徴とする方法。
【請求項２】
前記条件に、前記ガス空塔速度が約０．５ｍ／ｓを超えることが含まれることを特徴とする請求項１に記載の方法。
【請求項３】
さらに、前記反応装置内のＡＣＦＥインデックスが約１．０以上であることを特徴とする請求項１に記載の方法。
【請求項４】
前記反応領域と再循環領域内の触媒の合計質量に対する前記反応領域内の触媒の質量の比が約０．０５以上０．９９以下であり、好ましくは約０．３０以上０．９９以下であることを特徴とする請求項１から３のいずれか１項に記載の方法。
【請求項５】
前記反応領域と再循環領域内の触媒の合計質量に対する前記反応領域内の触媒の質量の比が０．０１以上約０．９８以下であり、好ましくは約０．３０以上約０．９８以下であることを特徴とする請求項１から３のいずれか１項に記載の方法。
【請求項６】
前記反応領域と再循環領域内の触媒の合計質量に対する前記反応領域内の触媒の質量の比が０．０１以上約０．９５以下であり、好ましくは約０．３０以上約０．９５以下であることを特徴とする請求項１から３のいずれか１項に記載の方法。
【請求項７】
前記反応領域と再循環領域のそれぞれの少なくとも１点における前記温度が約７５０℃以下であることを特徴とする請求項１から６のいずれか１項に記載の方法。
【請求項８】
前記反応領域と再循環領域のそれぞれの少なくとも１点における前記温度が約３００℃以上であることを特徴とする請求項１から７のいずれか１項に記載の方法。
【請求項９】
前記条件に前記ガス空塔速度が前記反応領域の少なくとも１点で約１．０ｍ／ｓ以上であり、より好ましくは約２．０ｍ／ｓ以上であることが含まれることを特徴とする請求項１から８のいずれか１項に記載の方法。
【請求項１０】
さらに前記反応領域のＷＨＳＶが約１ｈｒ−１から約５０００ｈｒ−１であることを特徴とする請求項１から９のいずれか１項に記載の方法。
【請求項１１】
さらに反応装置内のオキシジェネート転化が約９８％以下であることを特徴とする請求項１から１０のいずれか１項に記載の方法。
【請求項１２】
さらに、約１５０℃以下、好ましくは約１００℃以下、より好ましくは約２０℃以下の温度差を作るために、前記触媒を前記再循環領域を通して再循環させることを特徴とする請求項１から１１のいずれか１項に記載の方法。
【請求項１３】
さらに、約１．５以上、好ましくは約２．０以上のＡＣＦＥを有することを特徴とする請求項１から１２のいずれか１に記載の方法。
【手続補正書】
【提出日】平成16年2月10日(2004.2.10)
【手続補正１】
【補正対象書類名】明細書
【補正対象項目名】０３７６
【補正方法】変更
【補正の内容】
【０３７６】
オステオポンチンは、マウスの神経圧挫モデルにおいて保護作用を示した。感覚運動機能は、損傷後７，１４及び２１日目に、用量依存的に有意に回復し、並びに圧挫後２１日目に行った形態学的試験は、変性線維の割合の有意な減少及び線維総数の増加を示している。ＯＰＮは、本試験において使用した対照分子４−メチルカテコールと同程度有効であり、並びに熱で失活し、変性したＯＰＮタンパク質は、機能的又は組織学的パラメータに対し有意な作用を示さない。この機能的又は組織学的回復に対する正の作用は、以下に関するＯＰＮ作用によるものであろう：
−続発する免疫が媒介した変性からの線維の直接的な保護；
−髄鞘再形成及び軸索保護の促進；
−障害を受けた軸索の再生／出芽の促進；
−マクロファージにより清掃されたミエリン破片の増大。
【表９】
2004536058.tif 000001
【表１０】
2004536058.tif 000002
【表１１】
2004536058.tif 000003
【表１２】
2004536058.tif 000004
【表１３】
2004536058.tif 000005
【表１４】
2004536058.tif 000006
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
歯に接着する水溶性または膨潤性の支持物質およびその中に組み込まれている活性化合物からなる、局所的な歯の再石灰化処置のための歯科用接着フィルムであって、含有されている活性化合物が、任意にヒドロキシルイオン、炭酸イオンまたは塩化物イオンも含む、フッ化物、フルオロリン酸塩、ヒドロキシアパタイト、フルオロアパタイトおよびこれらの混合物から選ばれる貧水溶性の微分散カルシウム塩であることを特徴とする歯科用接着フィルム。
【請求項２】
微分散カルシウム塩が、１０〜３００ｎｍ（ナノメートル）の平均粒度を有することを特徴とする請求項１に記載の歯科用接着フィルム。
【請求項３】
タンパク質、タンパク質分解生成物、およびタンパク質またはタンパク質分解生成物の誘導体から選ばれるタンパク質成分が、さらに含有されていることを特徴とする請求項１または２に記載の歯科用接着フィルム。
【請求項４】
含有されている活性化合物が、貧水溶性カルシウム塩と、タンパク質、タンパク質分解生成物、およびタンパク質またはタンパク質分解生成物の誘導体から選ばれるタンパク質成分との複合物質であることを特徴とする請求項１〜３のいずれかに記載の歯科用接着フィルム。
【請求項５】
タンパク質成分が、ゼラチン、カゼイン、これらの水解物およびこれらの混合物から選ばれることを特徴とする請求項３または４に記載の歯科用接着フィルム。
【請求項６】
タンパク質成分が、少なくとも０.１質量％、好ましくは１〜１０質量％の量で含有されていることを特徴とする請求項３〜５のいずれかに記載の歯科用接着フィルム。
【請求項７】
含有されている支持物質が、植物性および微生物性ガム、セルロースエーテル、アクリル酸またはメタクリル酸およびアクリル酸またはメタクリル酸エステルのコポリマー、ポリビニルアルコール、部分加水分解ポリ酢酸ビニル、ポリビニルピロリドン並びにこれらの混合物から選ばれる水溶性または水膨潤性の天然または合成ポリマー物質であることを特徴とする請求項１〜６のいずれかに記載の歯科用接着フィルム。
【手続補正書】
【提出日】平成16年8月2日(2004.8.2)
【手続補正１】
【補正対象書類名】明細書
【補正対象項目名】００８９
【補正方法】変更
【補正の内容】
【００８９】
２．２．２〔Ｒｈ〕＋〔Ｉｒ〕＝定数＝０．３３〜０．３４ｍｍｏｌとした実験
・Ｒｈ／Ｉｒモル比＝１００／０；〔Ｒｈ〕＝０．３３〜０．３４ｍｍｏｌは、〔Ｉｒ〕＝０であるので、この場合もやはり比較実験の参照系である。
・Ｒｈ／Ｉｒモル比＝７０／３０；〔Ｒｈ〕≒０．２３ｍｍｏｌ；〔Ｉｒ〕≒０．１１ｍｍｏｌ
・Ｒｈ／Ｉｒモル比＝５０／５０；〔Ｒｈ〕≒０．１６５ｍｍｏｌ；〔Ｉｒ〕≒０．１６６ｍｍｏｌ
・Ｒｈ／Ｉｒモル比＝３０／７０；〔Ｒｈ〕≒０．１０ｍｍｏｌ；〔Ｉｒ〕≒０．２３ｍｍｏｌ
【手続補正２】
【補正対象書類名】明細書
【補正対象項目名】００９３
【補正方法】変更
【補正の内容】
【００９３】
３．工業用反応媒体での実験
これらの実験は、１．２で定めた標準的な手順を適用することによって行った。
３．１導入するメタノール量の最適化
比較実験（イリジウムなし）のこのシリーズにおいて、添加するメタノールの量（標準的な手順では反応媒体の１０％）を、５〜１５％の間で変えた。他のパラメータは全て同じであり、特に〔Ｒｈ〕＝０．３３〜０．３４ｍｍｏｌ、〔ＣｏｒＭｅｔ〕＝５０００ｍｇ／ｋｇ、そして、〔水〕＝１４％であった。７ｍｏｌ／ｌ．ｈのカルボニル化速度最大値は、メタノール添加が１０％の場合に得られ、メタノール添加量が１２又は１５％に増加した場合、ごくわずかに減少した（６ｍｏｌ／ｌ．ｈ）。
これらの実験の条件及び結果は、表３−１に記録した。
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
組み換え型顆粒球マクロファージ・コロニー刺激因子及び0.0mM乃至50mMのEDTAを含む生理的に受け入れ可能な水溶液。
【請求項２】
前記EDTAの濃度が0.1乃至5mMである請求項１記載の水溶液。
【請求項３】
前記組み換え型顆粒球マクロファージ・コロニー刺激因子が、サラグラモスティム(sargramostim)である請求項１記載の水溶液。
【請求項４】
前記EDTAの濃度が5mMであり、そしてさらに前記溶液がpH7.4を有し、そして10mMのTRIS-HCL、40mg/Mlのマニトール(mannitol)及び10mg/mlのサッカローズを含む請求項１乃至３のいずれか1項記載の水溶液。
【請求項５】
ベンジルアルコールをさらに含む請求項１乃至４のいずれか1項記載の水溶液。
【請求項６】
ベンジルアルコールが、1.1%の濃度である請求項５記載の水溶液。
【請求項７】
500μg/mlの顆粒球マクロファージ・コロニー刺激因子、10mMのTRIS-HCl、40mg/mlのマニトール(mannitol)及び10mg/mlのサッカローズに濃度0.1乃至50mMにEDTAを混合することを含む、顆粒球マクロファージ・コロニー刺激因子の安定化した生理的に受け入れ可能な水溶液を調製するための方法。
【請求項８】
a)  請求項１乃至６の何れか1項記載の水溶液を調製する工程；そして
b)  水溶液を凍結乾燥する工程を含む、
組み替え型顆粒球マクロファージ・コロニー刺激因子を凍結乾燥した生成物を調製するための方法。
【請求項９】
前記組み換え型顆粒球マクロファージ・コロニー刺激因子が、サラグラモスティム(sargramostim)である請求項７又は請求項８のいずれか１項記載の方法。
【請求項１０】
水溶液を凍結乾燥する工程をさらに含む請求項７乃至９のいずれか1項記載の方法。
【請求項１１】
請求項１乃至６のいずれか1項記載の水溶液を治療としての使用。
【請求項１２】
炎症性腸疾患の治療に請求項１乃至６の何れか1項記載の水溶液の使用。
【請求項１３】
炎症性腸疾患が、Crohn'疾患である請求項１２記載の使用。
【請求項１４】
潰瘍の治療に請求項1乃至６のいずれか1項記載の水溶液の使用。
【請求項１５】
生成物が、水和化されると請求項１乃至６のいずれか1項記載の生理的に受け付け可能な水溶液を生成する、組み換え型顆粒球マクロファージ・コロニー刺激因子の凍結乾燥された前記生成物。
【手続補正２】
【補正対象書類名】明細書
【補正対象項目名】０００５
【補正方法】変更
【補正の内容】
【０００５】
LEUKINETMは、内在性GM-CSFにより誘発されるものと同じ造血効果を呈し、すなわち好中球、単球、マクロファージ、および好酸球を形成するよう、顆粒球-マクロファージ経路に沿って分化を進める(committed）前駆細胞を刺激することを示した(Technical Product Report:LEUKINETM Liquid,Immunex Corp.Seattle,WA,1997,これが本明細書に引例として組み入れられる）。さらに内在性GM-CSFと同様LEUKINETMが、赤血球及び巨核球(Ibid.)を生成させるよう前駆細胞の分化を促進させる。造血の刺激に加えてLEUKINETMが、走化性、増殖因子の分泌、抗腫瘍作用、抗細菌(antibacterial)及び抗菌(antifungal)作用(Ibid.)などの成熟した好中球、単球、及びマクロファージの多くの機能作用を増強する。
【手続補正３】
【補正対象書類名】明細書
【補正対象項目名】００３３
【補正方法】変更
【補正の内容】
【００３３】
シリンジに保存された生成物の質量スペクトルの結果が、成熟Ala１種及び、Ala3、Arg4、Ser5、Ser7、Ser9、及びThr10まで切り取られた(clipped)追加種の存在を指示した。２乃至８℃に保存された生成物において、全長タンパク質の割合が変化しない状態にて、この温度にて保存により誘発された変性に対し感受性の容易な種が、Ala3種であることを示している。しかしながら、30℃にてAla1の種でさえ変性した。なを注意すべきことは、後の研究にて示されているが、グリコシル化形状もまた切り出されて(clipped)いるにもかかわらず、これらの質量スペクトル分析では、非グリコシル化種にのみに焦点を当てることである。この方法(LOQ)により全長および切り出され (clipped)た種の割合(%)を決定する際の定量化の限界が、約5%であると推定される。
【手続補正書】
【提出日】平成16年11月30日(2004.11.30)
【手続補正１】
【補正対象書類名】特許請求の範囲
【補正対象項目名】請求項３
【補正方法】変更
【補正の内容】
【請求項３】
グループI mGluR活性化に関連した疾病の治療用である、請求項２に記載の医薬組成物。
【手続補正２】
【補正対象書類名】特許請求の範囲
【補正対象項目名】請求項４
【補正方法】変更
【補正の内容】
【請求項４】
疾病が、mGluR活性化に関連した疾病である、請求項３に記載の医薬組成物。
【手続補正３】
【補正対象書類名】特許請求の範囲
【補正対象項目名】請求項５
【補正方法】変更
【補正の内容】
【請求項５】
疾病が神経学的疾病である、請求項４に記載の医薬組成物。
【手続補正４】
【補正対象書類名】特許請求の範囲
【補正対象項目名】請求項６
【補正方法】変更
【補正の内容】
【請求項６】
疾病が精神医学的疾病である、請求項４に記載の医薬組成物。
【手続補正５】
【補正対象書類名】特許請求の範囲
【補正対象項目名】請求項７
【補正方法】変更
【補正の内容】
【請求項７】
疾病が、発作、頭部外傷、無酸素性損傷、虚血性損傷、低血糖症、てんかん、痛み、片頭痛、パーキンソン病、老人性痴呆症、ハンチントン舞踏病、およびアルツハイマー病からなる群から選択される、請求項４に記載の医薬組成物。
【手続補正６】
【補正対象書類名】特許請求の範囲
【補正対象項目名】請求項１０
【補正方法】変更
【補正の内容】
【請求項１０】
グループI mGluR活性化に関連した疾病の治療用である、請求項９に記載の医薬組成物。
【手続補正７】
【補正対象書類名】特許請求の範囲
【補正対象項目名】請求項１１
【補正方法】変更
【補正の内容】
【請求項１１】
疾病が、mGluR活性化に関連した疾病である、請求項１０に記載の医薬組成物。
【手続補正８】
【補正対象書類名】特許請求の範囲
【補正対象項目名】請求項１２
【補正方法】変更
【補正の内容】
【請求項１２】
疾病が神経学的疾病である、請求項１１に記載の医薬組成物。
【手続補正９】
【補正対象書類名】特許請求の範囲
【補正対象項目名】請求項１３
【補正方法】変更
【補正の内容】
【請求項１３】
疾病が精神医学的疾病である、請求項１１に記載の医薬組成物。
【手続補正１０】
【補正対象書類名】特許請求の範囲
【補正対象項目名】請求項１４
【補正方法】変更
【補正の内容】
【請求項１４】
疾病が、発作、頭部外傷、無酸素性損傷、虚血性損傷、低血糖症、てんかん、痛み、片頭痛、パーキンソン病、老人性痴呆症、ハンチントン舞踏病、不安およびアルツハイマー病からなる群から選択される、請求項１１に記載の医薬組成物。
【手続補正書】
【提出日】平成16年6月17日(2004.6.17)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2004536087.tif 000001
［式中、Ｙは、
ａ）  −ＮＨＣ（＝Ｗ）Ｒ２、または
ｂ）  −Ｏ−ｈｅｔ、−Ｓ−ｈｅｔもしくは−ＮＨ−ｈｅｔ；
Ｗは、
ａ）  Ｏ、または
ｂ）  Ｓ；
Ｘは、
ａ）  −Ｓ（＝Ｏ）ｍ−、または
ｂ）  −ＣＨＲ３−；
Ｒ１は、
ａ）  Ｃ１−８アルキル、
ｂ）  −Ｃ（＝Ｏ）Ｒ４、または
ｃ）  −Ｃ（＝Ｓ）ＮＨＣ１−４アルキル；
Ｒ２は、
ａ）  Ｈ、
ｂ）  Ｃ１−６アルキル、
ｃ）  シクロプロピル、
ｄ）  −ＯＣ１−４ アルキル、
ｅ）  −ＮＨ２、
ｆ）  −ＮＨＣ１−６アルキル、または
ｇ）  −Ｎ（Ｃ１−６アルキル）２；
Ｒ３は、ＨまたはＣ１−４アルキル；
Ｒ４は、
ａ）  Ｈ、
ｂ）  Ｃ１−６ アルキル、
ｃ）  −ＣＨ２ＯＣ（＝Ｏ）Ｃ１−４アルキル；
前記の各出現にて、アルキルは、所望により１以上のＲ５で置換されていてもよく；
Ｒ５は、
ａ）  ハロ、
ｂ）  ＣＮ、
ｃ）  ＮＯ２、
ｄ）  Ｃ１−６ アルキル、
ｅ）  フェニル、
ｆ）  ＯＲ６、
ｇ）  Ｃ（＝Ｏ）Ｒ６、
ｈ）  ＯＣ（＝Ｏ）Ｒ６、
ｉ）  Ｃ（＝Ｏ）ＯＲ６、
ｊ）  Ｓ（＝Ｏ）ｍＲ６、
ｋ）  Ｓ（＝Ｏ）ｍＮＲ６Ｒ６、
ｌ）  ＮＨＣ（＝Ｏ）Ｒ６、
ｍ）  Ｃ（＝Ｏ）ＮＲ６Ｒ６、
ｎ）  ＮＲ６Ｒ６、
Ｒ６は、独立して、Ｈ、Ｃ１−６アルキル、フェニルまたはｈｅｔ；
ｈｅｔは、酸素、硫黄および窒素よりなる群から選択される１、２または３個のヘテロ原子を有するＣ−結合した五−（５）または六−（６）員の飽和もしくは不飽和の複素環であり、それは、所望によりベンゼン環に縮合してもよく；ここに、ｈｅｔは、所望により、１以上のハロ、ＣＮ、ＮＯ２、Ｃ１−６アルキル、ＯＲ６、フェニル、Ｓ（＝Ｏ）ｍＲ６、Ｃ（＝Ｏ）Ｒ６、ＯＣ（＝Ｏ）Ｒ６、ＮＨＣ（＝Ｏ）Ｒ６、またはＮＲ６Ｒ６、オキソ、あるいはオキシムで置換されていてもよく；ｍは０、１または２；およびｎは、１または２である］
で表される化合物またはその医薬上許容される塩。
【請求項２】  式ＩＡ：
【化２】
2004536087.tif 000002
で表される化合物である請求項１記載の化合物。
【請求項３】  式ＩＢ：
【化３】
2004536087.tif 000003
で表される化合物である請求項１記載の化合物。
【請求項４】  Ｒ２がＣ１−６アルキルである請求項２または３記載の化合物。
【請求項５】  Ｒ２がメチルである請求項２または３記載の化合物。
【請求項６】  Ｒ１がホルミルまたはアセチルである請求項２または３記載の化合物。
【請求項７】  ｎが１である請求項２または３記載の化合物。
【請求項８】  ｎが２である請求項２または３記載の化合物。
【請求項９】  Ｒ１が２−フルオロエチル、グリコリル、メトキシアセチル、オキソエチルアセテートまたはメチルアミノカルボチオイルである請求項２または３記載の化合物。
【請求項１０】  Ｒ３がメチルである請求項２記載の化合物。
【請求項１１】  Ｎ−｛［４−（Ｎ−ホルミル−２−メチルインドリニル）−５−オキソ−イソオキサゾール−２−イル］メチル｝アセトアミドである請求項１記載の化合物。
【請求項１２】  ｈｅｔが、イソオキサゾール−３−イル、イソオキサゾール−５−イル、１,２,４−オキサジアゾール−３−イル、イソチアゾール−３−イル、１,２,４−チアジアゾール−３−イルまたは１,２,５−チアジアゾール−３−イルである請求項１記載の化合物。
【請求項１３】  治療上有効量の請求項１の式Ｉで表される化合物および医薬上許容される担体を含む、それを必要とする哺乳動物における微生物感染を治療するための医薬組成物。
【請求項１４】  式Ｉで表される該化合物が、医薬組成物中で経口、非経口、経皮または局所投与される請求項１３記載の医薬組成物。
【請求項１５】  該治療上有効量が、約０.１ないし約１００ｍｇ／ｋｇ体重／日の量である請求項１３記載の医薬組成物。
【請求項１６】  該治療上有効量が、約１ないし約５０ｍｇ／ｋｇ体重／日の量である請求項１３記載の医薬組成物。
【請求項１７】  該感染が皮膚感染である請求項１３記載の医薬組成物。
【請求項１８】  該感染が眼感染である請求項１３記載の医薬組成物。
【手続補正書】
【提出日】平成15年7月25日(2003.7.25)
【手続補正１】
【補正対象書類名】特許請求の範囲
【補正対象項目名】全文
【補正方法】変更
【補正の内容】
【特許請求の範囲】
【請求項１】
痛みおよび炎症の原因となるＣＯＸ−２関連プロスタグランジンの産生を阻害する一方、同時にＣＯＸ−１関連プロスタグランジンの産生を少ない範囲で制限する加工されたモリンダシトリフォリア果実果汁の３オンスの投与を含む痛みおよび炎症を処置するための組成物。
【請求項２】
さらに野生の果実に見出されるよりも多くのキセロニンを含む、請求項１に記載の組成物。
【請求項３】
以下の工程を含む痛みおよび炎症の処置のための組成物を製造するためにモリンダシトリフォリアを加工する方法：
（１）  傷のないモリンダシトリフォリア果実から多量のモリンダシトリフォリア果汁および果肉を得ること；
（２）  湿った果肉から果汁をろ過すること；および
（３）  果汁を低温殺菌すること。
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
天然アミノ酸の(D)または(L)エナンチオマーと、式I：
【化１】
2004536047.tif 000001
［式中、
R1、R2およびR2aは、独立して、水素、OH、OR5、アルキル、-OCHF2、-OCF3、-SR5aまたはハロゲンであり；
R3およびR4は、独立して、水素、OH、OR5b、アルキル、シクロアルキル、CF3、-OCHF2、-OCF3、ハロゲン、-CONR6R6a、-CO2R5c、-CO2H、-COR6b、-CH(OH)R6c、-CH(OR5d)R6d、-CN、-NHCOR5e、-NHSO2R5f、-NHSO2アリール、-SR5g、-SOR5h、-SO2R5i、または環内にN、O、S、SOおよび/またはSO2である1〜4個のヘテロ原子を含みうる5、6または7員複素環であるか、あるいはR3およびR4は、それらが結合している炭素と共に全体として、縮環した5、6または7員の炭素環または環内にN、O、S、SOおよび/またはSO2である1〜4個のヘテロ原子を含みうる複素環を形成し；
R5、R5a、R5b、R5c、R5d、R5e、R5f、R5g、R5hおよびR5iは、独立して、アルキルであり、
R6、R6a、R6b、R6cおよびR6dは、独立して、水素、アルキル、アリール、アルキルアリールまたはシクロアルキルであるか、あるいはR6およびR6aは、それらが結合している窒素と共に全体として、環内にN、O、S、SOおよび/またはSO2である1〜4個のヘテロ原子を含みうる縮環した5、6または7員複素環を形成する］
の化合物との結晶性複合体。
【請求項２】
天然アミノ酸の(D)または(L)エナンチオマーと、R1が水素、アルコキシ、ハロゲンまたは低級アルキルであり、R4が低級アルキル、R5aO、-OCHF2、-SR5e、-S(O)R5eまたは-S(O2)R5eである請求項１に記載の化合物との複合体。
【請求項３】
L-フェニルアラニンまたはL-プロリンまたはD-フェニルアラニンと、R1が水素またはメチルであり、R4が4-C2H5、-OCHF2または-SMeである請求項２に記載の化合物との結晶性1：1または2：1複合体。
【請求項４】
天然アミノ酸の(D)または(L)エナンチオマーと、
【化３】
2004536047.tif 000002
【化４】
2004536047.tif 000003
の構造を持つ請求項２に記載の化合物との複合体。
【請求項５】
L-フェニルアラニンまたはL-プロリンまたはD-フェニルアラニンと、
【化２】
2004536047.tif 000004
［式中、R1は水素、アルコキシ、ハロゲンまたは低級アルキルであり、R4は低級アルキル、R5aO、-OCHF2、-SR5e、-S(O)R5eまたは-S(O2)R5eである］
の構造を持つ請求項１に記載の化合物との結晶性1：1または2：1複合体。
【請求項６】
請求項１に記載の複合体と、そのための薬学的に許容できる担体とを含む医薬組成物。
【請求項７】
天然アミノ酸の(D)または(L)エナンチオマーと請求項1に記載の化合物との複合体、ならびにSGLT2阻害剤以外の抗糖尿病剤、糖尿病の合併症を処置するための薬剤、抗肥満剤、抗高血圧剤、抗血小板剤、抗アテローム性動脈硬化剤および/または脂質低下剤を含む薬学的組み合わせ。
【請求項８】
天然アミノ酸の(D)または(L)エナンチオマーと複合体を形成した前記化合物、および抗糖尿病剤を含む、請求項７に記載の薬学的組み合わせ。
【請求項９】
天然アミノ酸の(D)または(L)エナンチオマーと化合物との複合体が抗糖尿病剤に対して約0.01〜約300：1の範囲内の重量比で存在する、請求項８に記載の組み合わせ。
【請求項１０】
抗肥満剤がβ3アドレナリン作用薬、リパーゼ阻害剤、セロトニン再取り込み阻害剤、甲状腺受容体β化合物および/または食欲抑制剤である、請求項７に記載の組み合わせ。
【請求項１１】
抗肥満剤がオルリスタット、シブトラミン、トピラメート、アキソカイン、デキサンフェタミン、フェンテルミン、フェニルプロパノールアミンおよび/またはマジンドールである、請求項１０に記載の組み合わせ。
【請求項１２】
脂質低下剤がMTP阻害剤、HMG CoAレダクターゼ阻害剤、スクアレンシンテターゼ阻害剤、フィブリン酸誘導体、LDL受容体活性の上方調節剤、リポキシゲナーゼ阻害剤またはACAT阻害剤である、請求項７に記載の組み合わせ。
【請求項１３】
脂質低下剤がプラバスタチン、ロバスタチン、シムバスタチン、アトルバスタチン、セリバスタチン、フルバスタチン、ニスバスタチン、ビサスタチン、アタバスタチン、ロスバスタチン、フェノフィブラート、ゲムフィブロジル、クロフィブラートまたはアバシミベである、請求項１２に記載の組み合わせ。
【請求項１４】
複合体が脂質低下剤に対して約0.01〜約300：1の範囲内の重量比で存在する、請求項１２に記載の組み合わせ。
【請求項１５】
抗糖尿病剤が、ビグアニド剤、スルホニル尿素剤、グルコシダーゼ阻害剤、PPARγ作用薬、PPARα/γ二重作用薬、aP2阻害剤、DP4阻害剤、インスリン感受性増強剤、グルカゴン様ペプチド-1（GLP-1）、インスリン、メグリチニド剤、PTP1B阻害剤、グリコーゲンホスホリラーゼ阻害剤および/またはグルコース-6-ホスファターゼ阻害剤の1つ、2つ、3つまたはそれ以上である、請求項８に記載の組み合わせ。
【請求項１６】
抗糖尿病剤が、メトホルミン、グリブリド、グリメピリド、グリピリド、グリピジド、クロルプロパミド、グリクラジド、アカルボース、ミグリトール、ピオグリタゾン、トログリタゾン、ロシグリタゾン、インスリン、イサグリタゾン、レパグリニドおよび／またはナテグリニドの1つ、2つ、3つまたはそれ以上である、請求項１５に記載の組み合わせ。
【請求項１７】
糖尿病、糖尿病性網膜症、糖尿病神経障害、糖尿病性腎障害、創傷治癒遅延、インスリン抵抗性、高血糖、高インスリン血症、脂肪酸またはグリセロールの血中レベルの上昇、高脂血症、肥満、高トリグリセリド血症、X症候群、糖尿病合併症、アテローム性動脈硬化または高血圧を処置し、またはその進行もしくは発症を遅延させる方法、あるいは高密度リポタンパク質レベルを増加させる方法であって、処置を必要とする哺乳動物種に、治療有効量の請求項１に記載の天然アミノ酸複合体を投与することから成る方法。
【請求項１８】
式Ｉの化合物が
【化５】
2004536047.tif 000005
の構造を持つ、請求項１７に記載の方法
【請求項１９】
II型糖尿病を処置する方法であって、処置を必要とする哺乳動物種に、治療有効量の請求項１に記載の複合体を単独で投与するか、または他の抗糖尿病剤、糖尿病の合併症を処置するための薬剤、抗肥満剤、抗高血圧剤、抗血小板剤、抗アテローム性動脈硬化剤および/または血中脂質低下剤と組み合わせて投与することから成る方法。
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
構造：
［化１］
ＬＬＧ          (配列番号１)
を含むペプチド、またはその構造的アナログもしくは化学的アナログ。
【請求項２】
構造：
［化２］
ＣＸＣＸＬＬＧＣＣ          (配列番号２)
[式中、Ｘは何れかのアミノ酸残基である]を含むペプチド、またはその構造的アナログもしくは化学的アナログ。
【請求項３】
構造：
［化３］
ＣＰＣＦＬＬＧＣＣ          (配列番号３)
を含むペプチド、またはその構造的アナログもしくは化学的アナログ。
【請求項４】
該ペプチドが２つのジスルフィド結合によって、構造的に拘束される、請求項２または３に記載のペプチド。
【請求項５】
該ペプチドがＣ１とＣ８システインの間に１つのジスルフィド結合を、かつＣ３とＣ９システインの間に第２のジスルフィド結合を含む、請求項４に記載のペプチド。
【請求項６】
該ペプチドがＣ１とＣ９システインの間に１つのジスルフィド結合を、かつＣ３とＣ８システインの間に第２のジスルフィド結合を含む、請求項４に記載のペプチド。
【請求項７】
医薬として使用するための、請求項１から６の何れか１つに記載のペプチド。
【請求項８】
薬学的に許容される担体と組み合わせた、請求項１から６の何れか１つに記載の医薬組成物。
【請求項９】
炎症性疾患およびヒトの白血病を処置するための医薬組成物の製造における、請求項１から６の何れか１つに記載のペプチドの使用。
【請求項１０】
in vitro において、種々のインテグリンおよび種々のタイプの白血球細胞の、生化学的単離および精製方法における、β２インテグリン・アンタゴニストとしての請求項１から６の何れか１つに記載のペプチドの使用。
【請求項１１】
白血球細胞の接着および遊走を阻害するための医薬組成物の製造における、トリペプチドモチーフ：ＬＬＧ、またはその構造的アナログもしくは化学的アナログの使用。
【手続補正２】
【補正対象書類名】明細書
【補正対象項目名】０００９
【補正方法】変更
【補正の内容】
【０００９】
配列表の配列番号２に示される配列に対応する構造：
［化４］
ＣＸＣＸＬＬＧＣＣ
[式中、Ｘは何れかのアミノ酸残基である]を含む新規ペプチド、またはその構造的アナログもしくは化学的アナログを提供することが、本発明の別の目的である。
【手続補正３】
【補正対象書類名】明細書
【補正対象項目名】００３２
【補正方法】変更
【補正の内容】
【００３２】
図７は、ＮＭＲによる環状ＬＬＧ−Ｃ４ペプチドのコンホーマーの構造の比較を示す。図７(Ａ)において、Ｃ(１−８；３−９)(左)およびＣ(１−９；３−８)(右)の４０個のコンホメーションのファミリーを示す。ジスルフィド閉環バックボーンの重原子は、それぞれのファミリーで重ね、そして２つのファミリーを見えるようにするため、平行移動して離した。
【手続補正４】
【補正対象書類名】明細書
【補正対象項目名】００３３
【補正方法】変更
【補正の内容】
【００３３】
図７(Ｂ)において、Ｃ(１−８；３−９)(上)およびＣ(１−９；３−８)の代表的な溶液の構造の立体図を示してある。この表示において、２つの構造を主鎖の原子Ｆ４、Ｌ５、およびＬ６で重ね、次に見えるようにするため、平行移動して離した。Ｃ(１−８；３−９)ペプチドにおいて、Ｃ１は環状構造より上でＣ８とペアを組み、そしてＣ３とＣ９は環状構造より下でペアを組んでいる。同様に、Ｃ(１−９；３−８)ペプチドにおいて、Ｃ１は環より上でＣ９とペアを組み、Ｃ３とＣ９は環より下でペアを組んでいる。
【手続補正５】
【補正対象書類名】明細書
【補正対象項目名】００７０
【補正方法】変更
【補正の内容】
【００７０】
ジスルフィドの幾つかの組み合わせは、ノナペプチドの構造にかなり影響を与える。Ｃ(１−８；３−９)ペプチドの“ジスルフィドの架橋の位置”は、Ｃ(１−９；３−８)ペプチドの“ジスルフィドの平行の位置”より、全体の構造を、よりきっちりと束縛する。これは、Ｃ(１−８；３−９)ペプチドで観測された nOes の数(１１４)が、Ｃ(１−９；３−８)で観測された数(８５)よりも大きいことによって反映される。Ｃ(１−９；３−８)における拘束に比べて、Ｃ(１−８；３−９)ペプチドにおける、より短い距離の拘束に対してバイアスがない。ジスルフィドの２-種類の組み合わせ方の結果として、構造の１つにのみ、中間基（interresiue）nOes が見出される。Ｃ(１−８；３−９)ペプチドにおいては３７、Ｃ(１−９；３−８)においては２０である。